(57)【特許請求の範囲】
【請求項１】
少なくとも内面に水接触面を有するコンクリートブロック体と、
このコンクリートブロック体の水接触面の一部を形成しこのコンクリートブロック体の内面側から外面側に水を浸透する浸透性ブロック板とを具備し、
前記コンクリートブロック体は、
少なくとも内面に水接触面を形成する底板部と、
少なくとも前記底板部に形成され、前記浸透性ブロック板が設けられる嵌合部とを備え、
前記底板部に形成された前記嵌合部に設けられた前記浸透性ブロック板は、
外面側浸透性ブロック板材と、
この外面側浸透性ブロック板材の内側に重ね合わせた内面側浸透性ブロック板材とを備え、
前記底板部に形成された前記嵌合部は、内周面の外面側に前記外面側浸透性ブロック板材が一体的に設けられているとともに、内周面の内面側が前記底板部の内面に垂直な平面状に形成され、この内周面の内面側に前記内面側浸透性ブロック板材が前記外面側浸透性ブロック板材の上面に重ね合わせて装着されることにより着脱自在に設けられている
ことを特徴とする水路、調整池または貯水槽用コンクリートブロック。
【請求項２】
コンクリートブロック体は少なくとも内面に水接触面を形成する側板部を有し、
嵌合部は、前記側板部に形成され、浸透性ブロック板が設けられた
ことを特徴とする請求項１記載の水路、調整池または貯水槽用コンクリートブロック。
【請求項３】
嵌合部の内周面の外面側と浸透性ブロック板の外周面とのいずれか一方に設けられた嵌合突縁と、
前記嵌合部の内周面の外面側と前記浸透性ブロック板の外周面との他方に設けられ、前記嵌合突縁が嵌合する嵌合凹縁とを具備した
ことを特徴とする請求項１または２記載の水路、調整池または貯水槽用コンクリートブロック。
【請求項４】
浸透性ブロック板はポーラスコンクリート板にて形成した
ことを特徴とする請求項１ないし３のいずれか一つに記載の水路、調整池または貯水槽用コンクリートブロック。
【発明の詳細な説明】
【０００１】
【発明の属する技術分野】
本発明は、暗渠、調整池または貯水槽などを形成する暗渠ブロック、貯水槽ブロックなどの水路、調整池または貯水槽用コンクリートブロックに関する。
【０００２】
【従来の技術】
従来、排水路として用いられる例えば水路用コンクリートブロックは浸透性がなく、水路用コンクリートブロックにより形成される水路などを流れる水は水路の末端まで流出して地中に浸透することがなかった。そのため、地下水の水位低下が生じ、地盤沈下や生態系の破壊など、環境に悪影響が及ぶという問題がある。
【０００３】
そこで、前記従来の水路を流れる水が地下に浸透できるようにした水路用コンクリートブロックが提案されている。このコンクリートブロック体１は、図１２に示すように、底板部２とこの底板部２の両側部からそれぞれ上方に立ち上がった側板部３を有し、この底板部２と両側板部３との内面が水接触面４を形成し、この両側板部３に内外面に貫通する複数のスリット状の流出口５を形成し、このコンクリートブロック体１内を流れる水が前記流出口５から流出して地下に浸透するようにしたものが知られている。
【０００４】
そして、図１２に示す前記従来のコンクリートブロック体１を施工する場合には、まず地中に掘削した部分に基礎として砕石を敷設して砕石層の基礎を形成し、次にこの基礎上にコンクリートブロック体１を配設し、次にコンクリートブロック体１の両側板部３の外側に浸透性を良好にするために砕石層を配設する工法が採られている。
【０００５】
【発明が解決しようとする課題】
しかしながら、前記工法によって図１２に示す従来のコンクリートブロック体１は、コンクリートブロック体１の両側板部３の外面に対向して砕石層を施工する際に、砕石が前記流出口５からコンクリートブロック体１内に入り込むことがある。そこで、従来の施工時にはコンクリートブロック体１の両側板部３の外面側に透水性シートなどを配設して流出口５から砕石がコンクリートブロック体１内に入り込まないように、この流出口５を塞ぎ、コンクリートブロック１の両側板部３の外側に砕石層を形成する工法が採られていた。しかし、コンクリートブロック体１の両側板部３の外側に砕石層を形成するに際してコンクリートブロック体１の流出口５を透水性シートなどで覆う作業を必要とし、施工性に問題があった。また、この流出口５を前記コンクリートブロック体１の底板部２に開口することは前記コンクリートブロック体１の強度上できないため、前記コンクリートブロック体１周辺の広範囲に水を浸透させることができず、さらに、前記流出口５を前記コンクリートブロック体１の側面に形成する場合も前記コンクリートブロック体１の強度が低下し、コンクリートブロック体１の壁面を厚くする必要があるなど強度的に問題があった。
【０００６】
本発明は、上記問題点に鑑みなされたもので、水路内を流れる水を地中に浸透させることができ、施工が容易な水路、調整池または貯水槽用コンクリートブロックを提供することを目的とする。
【０００７】
【課題を解決するための手段】
請求項１記載の発明の水路、調整池または貯水槽用コンクリートブロックは、少なくとも内面に水接触面を有するコンクリートブロック体と、このコンクリートブロック体の水接触面の一部を形成しこのコンクリートブロック体の内面側から外面側に水を浸透する浸透性ブロック板とを具備し、前記コンクリートブロック体は、少なくとも内面に水接触面を形成する底板部と、少なくとも前記底板部に形成され、前記浸透性ブロック板が設けられる嵌合部とを備え、前記底板部に形成された前記嵌合部に設けられた前記浸透性ブロック板は、外面側浸透性ブロック板材と、この外面側浸透性ブロック板材の内側に重ね合わせた内面側浸透性ブロック板材とを備え、前記底板部に形成された前記嵌合部は、内周面の外面側に前記外面側浸透性ブロック板材が一体的に設けられているとともに、内周面の内面側が前記底板部の内面に垂直な平面状に形成され、この内周面の内面側に前記内面側浸透性ブロック板材が前記外面側浸透性ブロック板材の上面に重ね合わせて装着されることにより着脱自在に設けられているものである。
【０００８】
そして、コンクリートブロック体の水接触面の一部を浸透性ブロック板にて形成したことにより、水路内を流れる水または調整池または貯水槽に貯留される水が浸透性ブロック板を透過して地中に浸透し、地下水脈に水を供給して環境を保全し、また、施工時にコンクリートブロック体の水接触面を形成する浸透性ブロック板にてコンクリートブロック体にスリットなどの開口部が形成されず、基礎、砕石層を形成する砕石などが前記水路、調整池または貯水槽内に砕石が入り込むことはないので、透水性シートなどで覆う作業を必要としない。
【０００９】
また、浸透性ブロック板にて水接触面の一部を形成したため、複数のスリットを形成したコンクリートブロック体に比べてコンクリートブロック体全体の強度が確保され、コンクリートブロック体の厚みを厚くする必要がなく、水路、調整池または貯水槽用コンクリートブロック体の強度が大きいため大型のコンクリートブロック体を形成することができ、水路の内部を流れる水量や調整池または貯水槽内の貯留量を大きくして水の浸透量を大きくすることができる。
【００１０】
さらに、浸透性ブロック板はコンクリートブロック体の水接触面の底板部に設けたことにより、渇水時など水路、調整池または貯水槽用コンクリートブロックによって形成された水路内または調整池または貯水槽内の水が少量である場合でも、前記水接触面の底板部の浸透性ブロック板から水が前記水路、調整池または貯水槽外の土壌に確実に浸透する。
【００１１】
そして、底板部を内面側から外面側に貫通する嵌合部の内周面の外面側に外面側浸透性ブロック板材を一体に設け、嵌合部の内周面の内面側を底板部の内面に垂直な平面状に形成し、この内周面の内面側に内面側浸透性ブロック板材を外面側浸透性ブロック板材の上面に重ね合わせることで着脱自在に設けたことにより、この内面側浸透性ブロック板材をコンクリートブロック体から取り外して内面側浸透性ブロック板材の目詰まりの解消作業やこの内面側浸透性ブロック板材に付着した土砂やごみの除去作業を行うことができ、浸透性ブロック板の清掃作業が容易になって浸透性ブロック板の浸透性を良好に保持することができる。
【００１２】
請求項２記載の発明の水路、調整池または貯水槽用コンクリートブロックは、請求項１記載の発明の水路、調整池または貯水槽用コンクリートブロックにおいて、コンクリートブロック体は少なくとも内面に水接触面を形成する側板部を有し、嵌合部は、前記側板部に形成され、浸透性ブロック板が設けられたものである。
【００１３】
そして、浸透性ブロック板はコンクリートブロック体の底板部および側板部に設けることにより、底板部のみに浸透性ブロック板を設ける場合よりも広範囲に水を浸透させることができる。
【００１４】
請求項３記載の発明の水路、調整池または貯水槽用コンクリートブロックは、請求項１または２記載の発明の水路、調整池または貯水槽用コンクリートブロックにおいて、嵌合部の内周面の外面側と浸透性ブロック板の外周面とのいずれか一方に設けられた嵌合突縁と、前記嵌合部の内周面の外面側と前記浸透性ブロック板の外周面との他方に設けられ、前記嵌合突縁が嵌合する嵌合凹縁とを具備したものである。
【００１５】
そして、コンクリートブロック体と浸透性ブロック板とのいずれか一方に形成した嵌合突縁と他方に形成した嵌合凹縁との係合でコンクリートブロック体に浸透性ブロック板が確実に保持されるため、水路、調整池または貯水槽用コンクリートブロックによって形成される水路、調整池または貯水槽の水接触面に高い水圧がかかっても、コンクリートブロック体に嵌合された浸透性ブロック板がコンクリートブロック体の嵌合部からはずれることはない。
【００１６】
請求項４記載の発明の水路、調整池または貯水槽用コンクリートブロックは、請求項１ないし３のいずれか一つに記載の発明の水路、調整池または貯水槽用コンクリートブロックにおいて、浸透性ブロック板はポーラスコンクリート板にて形成したものである。
【００１７】
そして、浸透性ブロック板はポーラスコンクリート板にて形成することによって、水路、調整池または貯水槽用コンクリートブロックを容易に形成することができる。
【００１８】
【発明の実施の形態】
以下、本発明の一実施の形態の水路用ブロックを図面に基づいて説明する。
【００１９】
図１ないし図５に示すように、暗渠水路用コンクリートブロックは暗渠水路用コンクリートブロック体11と浸透性ブロック板21とを備え、このコンクリートブロック体11は、底板部13と、この底板部13の両側部からそれぞれ上方に立ち上がった側板部14，14と、この両側板部14の上端部間に設けられた上面部15とを有し、一端側開口部16と他端側開口部17との間に水路を貫通形成した一体の略四角筒状に形成されている。そして、このコンクリートブロック体11の少なくとも底板部13の内面、両側板部14の内面および上面部15の内面は水接触面18となっている。
【００２０】
また、このコンクリートブロック体11は、一端側開口部16の開口端縁部には係合凹部16aが凹段部状に形成され、他端側開口部17の開口端縁部にはこの係合凹部16aに係合される係合突部17aが形成されている。
【００２１】
また、前記浸透性ブロック板21は、前記コンクリートブロック体11の底板部13および側板部14に設けられる。この浸透性ブロック板21は、例えばポーラスコンクリート板にて形成されている。このポーラスコンクリート板は、浸透性ブロック板21が内面側から外面側に水を浸透することができるように、例えば６号砕石を用いて、空隙率が２０パーセント程度に形成することが好ましい。また、浸透性ブロック板21は、ポーラスコンクリート板にて形成されたものに限られず、水の浸透機能を有する各種ブロック板を用いることができる。
【００２２】
そして、前記コンクリートブロック体11の底板部13の略中央部には、略矩形の嵌合部19が内面側から外面側に貫通形成されている。この嵌合部19の内周面の外面側には内方に向かって狭小となる断面三角形状の嵌合凹縁20が形成されている。また、この嵌合部19の内周面の内面側は前記底板部13の内面に垂直な平面状に形成されている。
【００２３】
また、前記コンクリートブロック体11の底板部13に形成した嵌合部19に嵌合される浸透性ブロック板21は、外面側浸透性ブロック板材22と、内面側浸透性ブロック板材23とを重ね合わせて形成されている。この外面側浸透性ブロック板材22は略矩形の板状で、外周面に先端に向かって狭小となる嵌合突縁24を形成する。
【００２４】
そして、図４に示すように、この外面側浸透性ブロック板材22の嵌合突縁24は、前記コンクリートブロック体11の底板部13の嵌合部19に形成された前記嵌合凹縁20に嵌合し、外面側浸透性ブロック板材22はコンクリートブロック体11と一体的に設けられる。また、前記内面側浸透性ブロック板材23は前記外面側浸透性ブロック板材22と略同一の略矩形の板状で、外周面は平面状に形成し、コンクリートブロック体11に形成した嵌合部19の内周面の内面側に嵌着できるように着脱自在に設けられている。また、この内面側浸透性ブロック板材23は、前記外面側浸透性ブロック板材22の上面に重ね合わせて装着され、この内面側浸透性ブロック板部23の内面側は前記コンクリートブロック体11の底板部13の内面と同一面となり、水接触面18の一部を形成する。
【００２５】
また、前記両側板部14の略中央部には、略矩形の嵌合部26が内面側から外面側に貫通形成されている。この嵌合部26の内周面には内方に向かって狭小となる嵌合凹縁27が形成されている。
【００２６】
そして、コンクリートブロック体11の側板部14に形成した嵌合部26に嵌合される浸透性ブロック板21は、一枚の浸透性ブロック板材28にて形成され、この浸透性ブロック板材28の内面側は前記コンクリートブロック体11の両側板部14の内面と同一面となり、水接触面18の一部を形成する。
【００２７】
また、浸透性ブロック板材28は略矩形の板状を呈し、外周面に先端に向かって狭小となる嵌合突縁29を形成する。そして、図５に示すように、前記コンクリートブロック体11の側板部14の嵌合部26に形成された前記嵌合凹縁27に浸透性ブロック板材28の嵌合突縁29は嵌合し、浸透性ブロック板材28はコンクリートブロック体11と一体的に設けられる。
【００２８】
なお、前記浸透性ブロック板21は、あらかじめ型成形し、この型成形された浸透性ブロック板21はコンクリートをコンクリートブロック体11、端部コンクリートブロック体47の成形型内に配設して浸透性ブロック板21をコンクリートブロック体11と一体に形成する。
【００２９】
次に、上記実施の形態の作用を説明する。
【００３０】
まず、図６および図７に示すように、水路施工位置に沿って地面37を掘削して掘削溝38を形成し、この掘削溝38の側部および底部に浸透シート39を配設して掘削溝38内に土が入り込むことを防止する。次に、前記浸透シート39の上には、コンクリートブロック体11の配設部分に沿って砕石を水平に敷設して基礎となる砕石層40を形成するとともに水はけを良好に保つ。
【００３１】
次に、前記基礎の砕石層40上に順次コンクリートブロック体11を配設し、隣接するコンクリートブロック体11の係合凹部16aと係合突部17aとをそれぞれ係合して接合する。
【００３２】
さらに、上面部15の上に土砂を載置して、図６および図７に示すように、前記コンクリートブロック体11によって形成した水路を地中に埋設する。
【００３３】
そして、このコンクリートブロック体11にて形成された水路内を流れる水は、底板部13と側板部14との水接触面18の一部を形成した浸透性ブロック板21を透過して地中に浸透し、土壌の保水性を高めるとともに地下水脈の環境を保全し、施工時にコンクリートブロック体11の外側をシートなどで塞がなくても前記水路内に砕石が入り込むことはない。
【００３４】
また、浸透性ブロック板21にて水接触面18の一部を形成したため、複数のスリットを形成したコンクリートブロック体に比べてコンクリートブロック体11全体の強度が確保され、コンクリートブロック体11の厚みを厚くする必要がなく、コンクリートブロック体11の強度が大きいため大型のコンクリートブロック体11を形成することができ、このコンクリートブロック体11によって形成した水路内の流水量を多くして水の浸透量を大きくすることができる。
【００３５】
そして、浸透性ブロック板21はコンクリートブロック体11の底板部13に設けたことにより、渇水時などコンクリートブロック体11によって形成した水路内の水が少量である場合でも、この水路内の水が前記底板部13の前記浸透性ブロック板21から前記コンクリートブロック体11外の土壌に確実に浸透する。
【００３６】
さらに、浸透性ブロック板21はコンクリートブロック体11の側板部14に設けることにより、浸透性ブロック板21をコンクリートブロック体11の底板部13のみに浸透性ブロック板21を設ける場合よりも広範囲に水を浸透させることができる。
【００３７】
また、コンクリートブロック体11の嵌合凹縁20と外面側浸透性ブロック板材22の嵌合突縁24、およびコンクリートブロック体11の嵌合凹縁27と浸透性ブロック板材28の嵌合突縁29とが、凹凸嵌合されているため、コンクリートブロック体11によって形成される水路の水接触面18に高い水圧がかかっても、コンクリートブロック体11に接合された外面側浸透性ブロック板材22および浸透性ブロック板材28がコンクリートブロック体11の嵌合部19，26からはずれることはない。
【００３８】
そして、コンクリートブロック体11の浸透性ブロック板21にポーラスコンクリート板を用いることによって、コンクリートブロック体11を容易に形成することができる。
【００３９】
また、前記コンクリートブロック体11の底板部13に設けた内面側浸透性ブロック板材23はコンクリートブロック体11に着脱自在に設けられているため、この内面側浸透性ブロック板材23をコンクリートブロック体11から取り外して内面側浸透性ブロック板材23の目詰まりの解消作業やこの内面側浸透性ブロック板材23に付着した土砂やごみの除去作業を行うことができ、浸透性ブロック板21の清掃作業が容易になって浸透性ブロック板21の浸透性を良好に維持することができる。
【００４０】
なお、本実施の形態においてはコンクリートブロック体11の底板部13および側板部14に浸透性ブロック板21を設けたが、前記コンクリートブロック体11の側板部14のみに前記浸透性ブロック板21を設けることもできる。そして、前記浸透性ブロック板21を前記コンクリートブロック体11の側板部14にのみ設けることにより、前記コンクリートブロック体11によって形成された水路に流れ込んだ初期雨水は底板部13を流れ、水路内は徐々に水かさが増し、水路内の水位が側板部14に設けた浸透性ブロック板21の位置に達すると、水路内の水に含まれていた汚泥が沈殿した後のきれいな水が浸透性ブロック板21から水路外の土壌に浸透する。
【００４１】
また、本実施の形態においては、コンクリートブロック体11は底板部13、両側板部14、上面部15が一体的に形成された略四角筒状としたが、このコンクリートブロック体11を底板部13、両側板部14が一体的に形成された断面略コの字状とし、上面を開口して開梁水路を形成するコンクリートブロックにも適用できる。
【００４２】
そして、本実施の形態においては、コンクリートブロック体11の底板部13の嵌合部19の内周面および側板部14の嵌合部26の内周面にそれぞれ形成した内方に向かって狭小となる嵌合凹縁20，27に、外面側浸透性ブロック板材22、浸透性ブロック板材28の外周面に形成した先端に向かって狭小となる嵌合突縁24，29をそれぞれ嵌合する構成としたが、コンクリートブロック体11の底板部13の嵌合部19の内周面、および側板部14の嵌合部26の内周面にそれぞれ形成した先端に向かって狭小となる嵌合突縁を、外面側浸透性ブロック板材22，浸透性ブロック板材28の外周面に内方に向かって狭小となる嵌合凹縁をそれぞれ嵌合する構成とすることもできる。
【００４３】
また、前記実施の形態においてはコンクリートブロック体11の嵌合部19，26の内周面と外面側浸透性ブロック板材22および浸透性ブロック板材28の外周面とのいずれか一方に嵌合突縁24，29を形成するとともに他方にこの嵌合突縁24，29が嵌合する嵌合凹縁20，27を形成する構成としたが、あらかじめ成型された外面側浸透性ブロック板材22，浸透性ブロック板材28をコンクリートブロック体11の型枠内に設置して、このコンクリートブロック体11と前記外面側浸透性ブロック板材22、浸透性ブロック板材28とを一体に成型する構成とし、前記コンクリートブロック体11の底板部13の嵌合部19および側板部14の嵌合部26と、外面側浸透性ブロック板材22および浸透性ブロック板材28とを、嵌合凹縁と嵌合突縁との係合構成としない構成とすることもできる。
【００４４】
なおこの場合、外周面にＰＣ鋼材などを突出させて形成した外面側浸透性ブロック板材22および浸透性ブロック板材28をコンクリートブロック体11の型枠内に設置してコンクリートブロック体11の鉄筋などと結合し、外面側浸透性ブロック板材22、浸透性ブロック板材28とを一体に成型する構成として、コンクリートブロック体11によって形成される水路の水接触面18に高い水圧がかかっても、コンクリートブロック体11に接合された外面側浸透性ブロック板材22および浸透性ブロック板材28がコンクリートブロック体11の嵌合部19，26からはずれないようにすることもできる。
【００４５】
そして、コンクリートブロック体11の底板部13に設けた浸透性ブロック板21は外面側および内面側浸透性ブロック板材22，23を重ね合わせて形成したが、係合凹部16aと係合突部17aを形成せずに一枚の浸透性ブロック板材とすることもできる。
【００４６】
また、前記実施の形態においては隣接するコンクリートブロック体11の係合凹部16aと係合突部17aとをそれぞれ係合して接合する構成としたが、前記隣接するコンクリートブロック体11同士はボルトとナットの締め付けやＰＣ鋼材の緊張によって接合する構成としてもよい。
【００４７】
次に、本発明の他の実施の形態である調整池または貯水槽用コンクリートブロックを図面に基づいて説明する。
【００４８】
図１１に示すように、調整池または貯水槽は略四角筒状のコンクリートブロックと平板状の端部コンクリートブロックとにて構成され、図８に示すように、コンクリートブロックは調整池または貯水槽用コンクリートブロック体41と浸透性ブロック板42とを備え、このコンクリートブロック体41は、底板部43と、この底板部43の両側部からそれぞれ上方に立ち上がった側板部44，44と、この両側板部44の上端部間に設けられた上面部45とを有し、一端側開口部45aと他端側開口部45bとを貫通形成した一体の略四角筒状に形成されている。そして、このコンクリートブロック体41の少なくとも底板部43の内面、両側板部44の内面および上面部45の内面は水接触面46となっている。
【００４９】
また、図９および図１０に示すとおり、前記端部コンクリートブロックは、端部コンクリートブロック体47と浸透性ブロック板42とを備え、端部コンクリートブロック体47の内面は水接触面46となっている。
【００５０】
また、図８、図９および図１０に示すように、浸透性ブロック板42は、前記コンクリートブロック体41の底板部43と側板部44および端部コンクリートブロック体47とに設けられている。この浸透性ブロック板42は、例えばポーラスコンクリート板にて形成され、このポーラスコンクリート板は、浸透性ブロック板42が内面側から外面側に水を浸透することができるように、例えば６号砕石を用いて、空隙率が２０パーセント程度に形成することが望ましい。また、浸透性ブロック板42は、ポーラスコンクリート板にて形成されたものに限られず、水の浸透機能を有する各種ブロック板を用いることができる。
【００５１】
そして、図８に示すように、前記コンクリートブロック体41の底板部43の略中央部には、略矩形の嵌合部48が内面側から外面側に貫通形成され、この嵌合部48の内周面の外面側には内方に向かって狭小となる断面三角形状の嵌合凹縁49が形成され、また、この嵌合部48の内周面の内面側は前記底板部43の内面に垂直な平面状に形成されている。
【００５２】
そして、コンクリートブロック体41の底板部43に形成した嵌合部48に嵌合される浸透性ブロック板42は、外面側浸透性ブロック板材50と、内面側浸透性ブロック板材51とを重ね合わせて形成され、この外面側浸透性ブロック板材50は略矩形の板状で、外周面に先端に向かって狭小となる嵌合突縁52を形成する。そして、この外面側浸透性ブロック板材50の嵌合突縁52は、前記コンクリートブロック体41の底板部43の嵌合部48に形成された前記嵌合凹縁49に嵌合し、外面側浸透性ブロック板材50はコンクリートブロック体41と一体的に設けられる。また、前記内面側浸透性ブロック板材51は前記外面側浸透性ブロック板材50と略同一の略矩形の板状で、外周面は垂直な平面状を形成し、コンクリートブロック体41に形成した嵌合部48の内周面の内面側に嵌着できるように着脱自在に設けられている。また、この内面側浸透性ブロック板材51は、前記外面側浸透性ブロック板材50の上面に重ね合わせて装着され、この内面側浸透性ブロック板材51の内面側は前記コンクリートブロック体41の底板部43の内面と同一面となり、水接触面46の一部を形成する。
【００５３】
また、前記両側板部44の略中央部には、略矩形の嵌合部53が内面側から外面側に貫通形成されている。この嵌合部53の内周面には内方に向かって狭小となる嵌合凹縁54が形成されている。
【００５４】
そして、コンクリートブロック体41の側板部44に形成した嵌合部53に嵌合される浸透性ブロック板42は、一枚の浸透性ブロック板材55にて形成され、この浸透性ブロック板材55の内面側は前記コンクリートブロック体11の両側板部14の内面と同一面となり、水接触面46の一部を形成する。
【００５５】
また、前記浸透性ブロック板材55は略矩形の板状を呈し、外周面に先端に向かって狭小となる嵌合突縁56を形成する。そして、この嵌合突縁56は前記コンクリートブロック体41が側板部44の嵌合部53に形成された前記嵌合凹縁54に嵌合し、浸透性ブロック板材55はコンクリートブロック体41と一体的に設けられる。
【００５６】
さらに、図９および図１０に示すように、前記端部コンクリートブロック体47の略中央部には、略矩形の嵌合部57が内面側から外面側に貫通形成されている。この嵌合部57の内周面には内方に向かって狭小となる嵌合凹縁58が形成されている。
【００５７】
そして、端部コンクリートブロック体47に形成した嵌合部57に嵌合される浸透性ブロック板42は、一枚の浸透性ブロック板材59にて形成され、この浸透性ブロック板材59の内面側は、水接触面46の一部を端部コンクリートブロック体47の内面と同一面に形成する。
【００５８】
また、浸透性ブロック板材59は略矩形の板状を呈し、外周面に先端に向かって狭小となる嵌合突縁60を形成する。そして、図８に示すようにこの嵌合突縁60は前記端部コンクリートブロック体47の嵌合部57に形成された前記嵌合凹縁58に嵌合し、浸透性ブロック板材59は端部コンクリートブロック体47と一体的に設けられる。
【００５９】
なお、本実施の形態における浸透性ブロック板42は、あらかじめ型成形し、この型成形された浸透性ブロック板42はコンクリートをコンクリートブロック体41、端部コンクリートブロック体47の成形型内に配設して浸透性ブロック板42をコンクリートブロック体41、端部コンクリートブロック体47と一体に形成する。
【００６０】
次に、上記実施の形態の作用を説明する。
【００６１】
まず、図１１に示すように、調整池または貯水槽施工位置に沿って地面61を掘削して掘削溝62を形成し、この掘削溝62の側部および底部に浸透シート63を配設し、次に、前記浸透シート63上には、コンクリートブロック体41および端部コンクリートブロック体47の配設部分に沿って砕石を地面に水平に敷設して基礎となる砕石層64を形成するとともに水はけを良好に保つ。
【００６２】
次に、前記基礎の砕石層64上に順次コンクリートブロック体41を配設し、隣接するコンクリートブロック体41の係合凹部（図示せず）と係合突部（図示せず）とをそれぞれ係合して接合する。
【００６３】
また、図１１に示すように、並列に設置されたコンクリートブロック体41の両端部に位置するコンクリートブロック体41の両端開口部（図示せず）の開口面に、端部コンクリートブロック体47を配設して閉塞する。
【００６４】
さらに、コンクリートブロック体41の上面部45上および端部コンクリートブロック体47上に土砂を載置して、図１１に示すように、前記コンクリートブロック体41および端部コンクリートブロック体47によって形成した調整池または貯水槽を地中に埋設する。
【００６５】
そして、この調整池または貯水槽内に貯留される水は、コンクリートブロック体41の底板部43と側板部44との水接触面46および端部コンクリートブロック体47の一部を形成した浸透性ブロック板42を透過して地中に浸透し、土壌の保水性を高めるとともに地下水脈の環境を保全し、施工時にコンクリートブロック体41および端部コンクリートブロック体47の外側を透水性シートなどで塞がなくても前記調整池または貯水槽内に砕石が入り込むことはない。
【００６６】
さらに、浸透性ブロック板42にて水接触面46の一部を形成したため、コンクリートブロック体41および端部コンクリートブロック体47全体の強度が確保され、コンクリートブロック体41および端部コンクリートブロック体47の厚みを厚くする必要がなく、コンクリートブロック体41および端部コンクリートブロック体47の強度が大きいため大型のコンクリートブロック体41および端部コンクリートブロック体47を形成することができ、このコンクリートブロック体41および端部コンクリートブロック体47によって形成される調整池または貯水槽内の貯水量を多くして水の浸透量を大きくすることができる。
【００６７】
そして、浸透性ブロック板42はコンクリートブロック体41の底板部43に設けたことにより、渇水時などコンクリートブロック体41および端部コンクリートブロック体47によって形成した調整池または貯水槽内の水が少量である場合でも、この調整池または貯水槽内の水が前記底板部43の前記浸透性ブロック板42から前記コンクリートブロック体41外の土壌に確実に浸透する。
【００６８】
さらに、浸透性ブロック板42をコンクリートブロック体41の側板部44に設けることにより、底板部43のみに浸透性ブロック板42を設ける場合よりも広範囲に水を浸透させることができる。
【００６９】
また、コンクリートブロック体41の嵌合凹縁49と外面側浸透性ブロック板材50の嵌合突縁52、コンクリートブロック体41の嵌合凹縁54と浸透性ブロック板材55の嵌合突縁56、および端部コンクリートブロック体47の嵌合凹縁58と浸透性ブロック板材59の嵌合突縁60とがそれぞれ嵌合された状態でコンクリートブロック体41および端部コンクリートブロック体47によって調整池または貯水槽を形成し、この調整池または貯水槽の水接触面46に高い水圧がかかっても、コンクリートブロック体41に接合された外面側浸透性ブロック板材50と浸透性ブロック板材55とがコンクリートブロック体41の嵌合部48，53からはずれることはなく、また、端部コンクリートブロック体47に接合された浸透性ブロック板材59が嵌合部57からはずれることはない。
【００７０】
そして、コンクリートブロック体41および端部コンクリートブロック体47の浸透性ブロック板42にポーラスコンクリート板を用いることによって、コンクリートブロック体41および端部コンクリートブロック体47を容易に形成することができる。
【００７１】
さらに、内面側浸透性ブロック板材51はコンクリートブロック体41に着脱自在に設けられているため、この内面側浸透性ブロック板材51をコンクリートブロック体41から取り外して内面側浸透性ブロック板材51の目詰まりの解消作業やこの内面側浸透性ブロック板材51に付着した土砂やごみの除去作業を行うことができ、浸透性ブロック板42の清掃作業が容易になって浸透性ブロック板42の浸透性を良好に維持することができる。
【００７２】
なお、本実施の形態においては、コンクリートブロック体41の底板部43および側板部44に浸透性ブロック板42を設けたが、前記コンクリートブロック体41の側板部14のみに前記浸透性ブロック板42を設けることもできる。そして、この構成では、前記浸透性ブロック板42を前記コンクリートブロック体41の側板部44にのみ設けることにより、前記コンクリートブロック体41によって形成された調整池または貯水槽に流れ込んだ初期雨水は底板部43に溜まり、調整池または貯水槽内は徐々に水かさが増し、調整池または貯水槽内の水位が側板部44に設けた浸透性ブロック板42の位置に達すると、調整池または貯水槽内の水に含まれていた汚泥が沈殿した後のきれいな水が浸透性ブロック板42から調整池外または貯水槽外の土壌に浸透する。
【００７３】
また、本実施の形態においては、コンクリートブロック体41は底板部43、両側板部44、上面部45が一体的に形成された略四角筒状としたが、底板部43、両側板部44を一体的に形成するとともに、上面を開口したコンクリートブロック体を用いて調整池または貯水槽を形成することもできる。また、このコンクリートブロック体41は、底板部、両側板部、上面部など複数に分割したコンクリートブロック体や、一部現場打ちコンクリートによって形成したコンクリートブロック体によって構成することもできる。
【００７４】
そして、前記実施の形態においては、コンクリートブロック体41の底板部43の嵌合部48の内周面、側板部44の嵌合部53の内周面、および端部コンクリートブロック体47の嵌合部57にそれぞれ形成した内方に向かって狭小となる嵌合凹縁49，54，58に、外面側浸透性ブロック板材50、浸透性ブロック板材55，59の外周面に形成した先端に向かって狭小となる嵌合突縁52，56，60をそれぞれ嵌合する構成としたが、コンクリートブロック体41の底板部43の嵌合部48の内周面、側板部44の嵌合部53の内周面、および端部コンクリートブロック体47の嵌合部57の内周面にそれぞれ形成した先端に向かって狭小となる嵌合突縁を、外面側浸透性ブロック板材50，浸透性ブロック板材55，59の外周面に内方に向かって狭小となる嵌合凹縁をそれぞれ嵌合する構成としてもよい。
【００７５】
さらに、前記実施の形態においては、コンクリートブロック体41および端部コンクリートブロック体47と外面側浸透性ブロック板材50および浸透性ブロック板材55，59とは嵌合突縁と嵌合凹縁との係合構成としたが、あらかじめ成型された外面側浸透性ブロック板材50、浸透性ブロック板材55，59をコンクリートブロック体41および端部コンクリートブロック体47の型枠内に設置して、一体成型とすることもできる。
【００７６】
また、コンクリートブロック体41の底板部43に設けた浸透性ブロック板42は外面側および内面側浸透性ブロック板材50，51を重ね合わせて形成したが、一枚の浸透性ブロック板材とすることもできる。
【００７７】
【発明の効果】
請求項１記載の発明によれば、水路内を流れる水または調整池または貯水槽に貯留される水が浸透性ブロック板を透過して地中に浸透し、土壌の保水性を高めるとともに地下水脈に水を供給して環境を保全し、また、施工時にコンクリートブロック体の水接触面を形成する浸透性ブロック板にてコンクリートブロック体にスリットなどの開口部が形成されず、基礎、砕石層を形成する砕石などが前記水路、調整池または貯水槽内に砕石が入り込むことはないので、シートなどで閉塞する作業を必要としない。
【００７８】
また、複数のスリットを形成したコンクリートブロック体に比べてコンクリートブロック体全体の強度が確保され、コンクリートブロック体の厚みを厚くする必要がなく、水路、調整池または貯水槽用コンクリートブロック体の強度が大きいため大型のコンクリートブロック体を形成することができ、水路の内部を流れる水量や調整池または貯水槽内の貯留量を大きくして水の浸透量を大きくすることができる。
【００７９】
さらに、浸透性ブロック板はコンクリートブロック体の水接触面の底板部に設けたことにより、渇水時など水路、調整池または貯水槽用コンクリートブロックによって形成された水路内または調整池または貯水槽内に水が少量しかない場合でも、前記水接触面の底板部の浸透性ブロック板から水が前記水路、調整池または貯水槽外の土壌に確実に浸透する。
【００８０】
そして、底板部を内面側から外面側に貫通する嵌合部の内周面の外面側に外面側浸透性ブロック板材を一体に設け、嵌合部の内周面の内面側を底板部の内面に垂直な平面状に形成し、この内周面の内面側に内面側浸透性ブロック板材を外面側浸透性ブロック板材の上面に重ね合わせることで着脱自在に設けたことにより、この内面側浸透性ブロック板材をコンクリートブロック体から取り外して内面側浸透性ブロック板材の目詰まりの解消作業やこの内面側浸透性ブロック板材に付着した土砂やごみの除去作業を行うことができ、浸透性ブロック板の清掃作業が容易になって浸透性ブロック板の浸透性を良好に保持することができる。
【００８１】
請求項２記載の発明によれば、浸透性ブロック板はコンクリートブロック体の底板部および側板部に設けることにより、底板部のみに浸透性ブロック板を設ける場合よりも広範囲に水を浸透させることができる。
【００８２】
請求項３記載の発明によれば、コンクリートブロック体と浸透性ブロック板とのいずれか一方に形成した嵌合突縁と他方に形成した嵌合凹縁との係合でコンクリートブロック体に浸透性ブロック板が確実に保持されるため、水路、調整池または貯水槽用コンクリートブロックによって形成される水路、調整池または貯水槽の水接触面に高い水圧がかかっても、コンクリートブロック体に嵌合された浸透性ブロック板がコンクリートブロック体の嵌合部からはずれることはない。
【００８３】
請求項４記載の発明によれば、浸透性ブロック板はポーラスコンクリート板にて形成することによって、水路、調整池または貯水槽用コンクリートブロックを容易に形成することができる。
【図面の簡単な説明】
【図１】  本発明の一実施の形態を示す水路用コンクリートブロックの側面図である。
【図２】  同上水路用コンクリートブロックのＡ−Ａ線部の横断平面図である。
【図３】  同上水路用コンクリートブロックのＢ−Ｂ線部の縦断正面図である。
【図４】  同上水路用コンクリートブロックの底板部の拡大縦断正面図である。
【図５】  同上水路用コンクリートブロックの側板部の拡大縦断正面図である。
【図６】  同上水路用コンクリートブロックによって施工した水路の縦断側面図である。
【図７】  同上水路の縦断正面図である。
【図８】  他の実施の形態を示す調整池または貯水槽用コンクリートブロックを構成するコンクリートブロック体の縦断正面図である。
【図９】  同上調整池または貯水槽用コンクリートブロックを構成する端部コンクリートブロックの正面図である。
【図１０】  同上端部コンクリートブロックのＣ−Ｃ線部の縦断側面図である。
【図１１】  同上調整池または貯水槽用コンクリートブロックによって施工した調整池または貯水槽の縦断側面図である。
【図１２】  従来の技術の水路用ブロックの側面図である。
【符号の説明】
11    コンクリートブロック体
13    底板部
14    側板部
18    水接触面
19    嵌合部
20    嵌合凹縁
21    浸透性ブロック板
22    外面側浸透性ブロック板材
23    内面側浸透性ブロック板材
24    嵌合突縁
26    嵌合部
27    嵌合凹縁
29    嵌合突縁
41    コンクリートブロック体
42    浸透性ブロック板
43    底板部
44    側板部
46    水接触面
48    嵌合部
49    嵌合凹縁
50    外面側浸透性ブロック板材
51    内面側浸透性ブロック板材
52    嵌合突縁
53    嵌合部
54    嵌合凹縁
56    嵌合突縁
57    嵌合部
58    嵌合凹縁
60    嵌合突縁
【図１】
0003685491.tif 000002
【図２】
0003685491.tif 000003
【図３】
0003685491.tif 000004
【図４】
0003685491.tif 000005
【図５】
0003685491.tif 000006
【図６】
0003685491.tif 000007
【図７】
0003685491.tif 000008
【図８】
0003685491.tif 000009
【図９】
0003685491.tif 000010
【図１０】
0003685491.tif 000011
【図１１】
0003685491.tif 000012
【図１２】
0003685491.tif 000013